(57)【要約】【課題】付け爪を使用する人の爪の外面の形状と付け爪の内面の形状を一致させることで、付け爪を粘着剤や両面テープを用いて爪に剥離可能な状態で強固に接着させる。【解決手段】人の指先の爪を含む部位の印象を採得する印象採得工程と、該印象採得工程で採得された印象から人の指先の爪を含む部位の指先模型を形成する指先模型形成工程と、該指先模型形成工程で形成された指先模型の爪を含む部位を型にしてプラスチック板を真空成型する真空成型工程と、該真空成型工程で成型されたプラスチック板の爪対応部分を切り抜いて付け爪用ベースを得る切り抜き工程とを備えた方法により付け爪用ベースないし付け爪を作製する。【選択図】図１
2010131222.tif 000002
【特許請求の範囲】
【請求項１】
人の指先の爪を含む部位の印象を採得する印象採得工程と、該印象採得工程で採得された印象から人の指先の爪を含む部位の指先模型を形成する指先模型形成工程と、該指先模型形成工程で形成された指先模型の爪を含む部位を型にしてプラスチック板を真空成型する真空成型工程と、該真空成型工程で成型されたプラスチック板の爪対応部分を切り抜いて付け爪用ベースを得る切り抜き工程とを備えたことを特徴とする付け爪用ベースの作製方法。
【請求項２】
前記指先模型形成工程が、人の指先の爪の先端部に対応する部分から更に先端方向に向けて滑らかに延長する爪延長部を前記指先模型に延長形成する爪延長部形成工程を備えたことを特徴とする請求項１に記載の付け爪用ベースの作製方法。
【請求項３】
人の指先の爪を含む部位の印象を採得する印象採得工程と、該印象採得工程で採得された印象から人の指先の爪を含む部位の指先模型を形成する指先模型形成工程と、該指先模型形成工程で形成された指先模型の爪を含む部位を型にしてプラスチック板を真空成型する真空成型工程と、該真空成型工程で成型されたプラスチック板の爪対応部分を切り抜いて付け爪用ベースを得る切り抜き工程と、該付け爪用ベースの表面に色彩及び／又は模様を施して付け爪とする装飾工程とを備えたことを特徴とする付け爪の作製方法。
【請求項４】
前記指先模型形成工程が、人の指先の爪の先端部に対応する部分から更に先端方向に向けて滑らかに延長する爪延長部を前記指先模型に延長形成する爪延長部形成工程を備えたことを特徴とする請求項３に記載の付け爪の作製方法。
【請求項５】
人の指先の爪を含む部位の印象を採得する印象採得工程と、該印象採得工程で採得された印象から人の指先の爪を含む部位の指先模型を形成する指先模型形成工程と、該指先模型形成工程で形成された指先模型の爪を含む部位を型にしてプラスチック板を真空成型する真空成型工程と、該真空成型工程で成型されたプラスチック板の爪対応部分を切り抜いて付け爪用ベースを得る切り抜き工程と、該付け爪用ベースの上に既製の付け爪を積層・接着する付け爪接着工程とを備えたことを特徴とする付け爪の作製方法。
【請求項６】
前記既製の付け爪の表面に色彩及び／又は模様を施す装飾工程とを備えたことを特徴とする請求項５に記載の付け爪の作製方法。
【請求項７】
人の指先の爪を含む部位の印象を採得する印象採得工程と、該印象採得工程で採得された印象から人の指先の爪を含む部位の指先模型を形成する指先模型形成工程と、該指先模型形成工程で形成された指先模型の爪を含む部位を型にしてプラスチック板を真空成型する真空成型工程と、該真空成型工程で成型されたプラスチック板の爪対応部分を切り抜いて付け爪用ベースを得る切り抜き工程と、該付け爪用ベースの先端部に既製の延長爪を積層・接着する延長爪接着工程と、該延長爪が積層・接着されていない付け爪用ベースの表面に合成樹脂を該延長爪の厚さまで塗り固める塗り固め工程と、該延長爪の表面及び合成樹脂を塗り固めた部位の表面に色彩及び／又は模様を施す装飾工程とを備えたことを特徴とする付け爪の作製方法。
【発明の詳細な説明】
【技術分野】
【０００１】
本発明は、爪への着脱が容易でしかも剥離し難い付け爪用ベースの作製方法及びこの付け爪用ベースを用いた付け爪の作製方法に関するものである。
【背景技術】
【０００２】
近年、指先のお洒落を楽しむネイルアートの１つとして、若い女性を中心にして付け爪が使用されている。このような目的で使用されている付け爪は、人の爪の表面の形状に沿うように湾曲形成された薄い小さなプラスチック片からなり、美しい形状に成形され、表面にはきれいな色、図柄、模様等が施されている。
【０００３】
付け爪は一般に無装飾のものがサイズ別に既製品として作られて市販され、使用する者は自分の爪のサイズに合う付け爪を選んで購入し、使用している。付け爪の表面の図柄や模様は、市販されている無装飾の付け爪の表面に自分で細筆とペイントを使って描くか、ネイルサロンでネイリストに描いてもらう。
【０００４】
装飾が施された付け爪は粘着剤や両面テープを用いて人の爪の表面に粘着・固定して使用される。付け爪は主に外出する時等に付け、家事等をする時には取り外すのが一般的である。付け爪は手をお湯に少し漬けることにより爪から外すことができる。
【特許文献１】特公平７−７３５３２号公報
【特許文献２】特開２０００−２３２９１２号公報
【特許文献３】特開２００１−１６９８２３号公報
【発明の開示】
【発明が解決しようとする課題】
【０００５】
ところで、上述した従来の市販されている付け爪は人の爪の彎曲にある程度は合うように作られているが、使用する人の爪の表面の湾曲とは完全には一致しないので、付け爪が人の爪に密着せず、付け爪が何かにちょっと当たっただけで人の爪から取れてしまうという問題があった。
【０００６】
このため、付け爪が何かにちょっと当たっても人の爪から取れないように、付け爪を人の爪に強力な接着剤で接着する場合がある。しかし、このようにすると長期間取らないことになり、その間に付け爪と爪との間にできた隙間に家事等の水仕事で水が入り、ここにカビ等が繁殖して爪が緑や黒色に変色し、グリーンネイルと呼ばれる症状を引き起こしてしまうことがあり、衛生上問題があった。
【０００７】
付け爪が人の爪に密着しないという上記問題を解決するため、付け爪の内面に粘土状の合成樹脂（アクリルのリキッドとパウダー）を盛り、付け爪の内面の形状を爪の表面の形状に合わせるという方法が取られることがあるが、付け爪の内面に合成樹脂を盛ると、合成樹脂の重みで指先が重くなるという別の問題が生じてしまう。
【０００８】
本発明が解決しようとする問題点は、市販されている付け爪を人の爪に粘着剤で接着させた場合、付け爪を爪に強固に接着させることができず、付け爪が何かに当たった場合、爪から取れやすい点である。
【課題を解決するための手段】
【０００９】
本発明は、付け爪を粘着剤を用いて爪に剥離可能で且つ強固に接着させるために、付け爪を使用する人の爪の外面の形状と付け爪の内面の形状を一致させたことを最も主要な特徴とする。
【００１０】
付け爪の内面の形状を付け爪を使用する人の爪の外面の形状と一致させる方法として、具体的には、付け爪用ベースを個別に作製し、これを用いる。
【００１１】
すなわち、付け爪用ベースは、人の指先の爪を含む部位の印象を採得する印象採得工程と、該印象採得工程で採得された印象から人の指先の爪を含む部位の指先模型を形成する指先模型形成工程と、該指先模型形成工程で形成された指先模型の爪を含む部位を型にしてプラスチック板を真空成型する真空成型工程と、該真空成型工程で成型されたプラスチック板の爪対応部分を切り抜いて付け爪用ベースを得る切り抜き工程とを備えた作製方法によって作製される。
【００１２】
ここで、前記指先模型形成工程は、人の指先の爪の先端部に対応する部分から更に先端方向に向けて滑らかに延長する爪延長部を前記指先模型に延長形成する爪延長部形成工程を備えていてもよい。
【００１３】
このようにして作製された付け爪用ベースは表面に色彩及び／又は模様を施して付け爪としてもよいし、付け爪用ベースの上に既製の装飾された付け爪を積層・接着してもよいし、付け爪用ベースの上に既製の無模様の付け爪を積層・接着し、この付け爪の表面に色彩及び／又は模様を施してもよいし、付け爪用ベースの先端部に既製の延長爪を積層・接着し、該延長爪が積層・接着されていない付け爪用ベースの表面に合成樹脂を該延長爪の厚さまで塗り固め、該延長爪の表面及び合成樹脂を塗り固めた部位の表面に色彩及び／又は模様を施してもよい。
【発明の効果】
【００１４】
本発明によって作製された付け爪は、内面の形状が、付け爪を使用する人の爪の表面の形状（彎曲、でこぼこ等）と完全に一致しているので、付け爪を使用する人の爪の表面に付け爪が完全に密着し、粘着剤で接着させた場合、付け爪を使用する人の爪と付け爪との間に隙間が形成され難く、家事等をしても爪と付け爪との間に水が入らず、従って、爪と付け爪との間にカビ等が繁殖しない、すなわち爪がグリーンネイル等の皮膚疾患にならないという利点がある。
【００１５】
また、本発明によって作製された付け爪は、内面の形状が、付け爪を使用する人の爪の外面の形状と完全に一致しているので、粘着剤で接着させた場合、付け爪を使用する人の爪の表面に付け爪が強固に接着し、従って、付け爪が何かにちょっと当たった程度では人の爪から簡単には取れないという利点がある。
【００１６】
また、本発明によって作製された付け爪は、本人の爪との適合性がすでに取れているので、付け爪の内面の形状を本人の爪の形状に合わせる作業が不要であり、ネイリストは付け爪のデザインだけをすれば良く、従って。ネイリストは本人不在の下で作業の大半を進めることができるという利点がある。
【００１７】
また、本発明によって作製された付け爪は、真空成型で作製されるので、多数個を同時に作製することができ、従って、生産性が非常に良いという利点がある。
【発明を実施するための最良の形態】
【００１８】
付け爪が何かにちょっと当たった程度では人の爪から簡単には取れないようにするという目的を、付け爪の作製方法を工夫することにより、付け爪を使用している際に衛生面を悪化させるような事態を生じさせることなく実現した。
【実施例１】
【００１９】
図１はこの発明の第一実施例の工程を示す説明図である。この発明の第一実施例は、同図に示すように、人の指先の爪を含む部位の印象を採得する印象採得工程と、該印象採得工程で採得された印象から人の指先の爪を含む部位の指先模型を形成する指先模型形成工程と、該指先模型形成工程で形成された指先模型の爪を含む部位を型にしてプラスチック板を真空成型する真空成型工程と、該真空成型工程で成型されたプラスチック板の爪対応部分を切り抜いて付け爪用ベースを得る切り抜き工程とを備えている。
【００２０】
ここで、指爪の印象はシリコン印象材に指爪を押し当てて採得する。印象型には石膏液を注入し、石膏液が硬化して硬化石膏になるのを待ち、印象型から硬化石膏を抜き取り、これを指爪模型とする。指爪模型の反爪側は研磨装置でトリミングし、指爪模型が全体にできるだけ薄くなるようにし、真空成型においてプラスチック板が爪部の付近にしわが入らないようにするのがよい。プラスチック板の種類としてはＰＥＴ系樹脂、アクリル系樹脂、ＡＢＳ系樹脂等を使用することができる。プラスチック板の厚さは０．３ｍｍ〜１．０ｍｍ程度が好ましい。
【００２１】
図２はこの発明の第二実施例の工程を示す説明図である。基本的な構成は第一実施例と同様である。前記指先模型形成工程は、人の指先の爪の先端部に対応する部分から更に先端方向に向けて滑らかに延長する爪延長部を前記指先模型に延長形成する爪延長部形成工程を備えている点が相違している。爪延長部はレジンやシリコン印象材を使用して手作業で形成することになる。ここで、真空成型に使用するプラスチック板は、付け爪の先端部にある程度の強度を持たせる必要から、０．５ｍｍ〜１．５ｍｍ程度のやや厚めのものが好ましい。
【００２２】
次に、上記のようにして作製された付け爪用ベースの使用態様について、図３を参照しながら説明する。
【００２３】
まず、上記のようにして作製された付け爪用ベースの表面に色彩及び／又は模様等からなる装飾を施し、これを付け爪（図３の付け爪１）として使用してもよい。
【００２４】
また、上記のようにして作製された付け爪用ベースの上に既製の装飾された付け爪を接着剤で積層・接着し、これを付け爪（図３の付け爪２）として使用してもよい。
【００２５】
また、上記のようにして作製された付け爪用ベースの上に既製の無模様の付け爪を接着剤で積層・接着し、この付け爪の表面に色彩及び／又は模様等からなる装飾を施し、これを付け爪（図３の付け爪３）としてもよい。
【００２６】
また、上記のようにして作製された付け爪用ベースの先端部に既製の延長爪を接着剤で積層・接着し、延長爪が積層・接着されていない付け爪用ベースの表面に合成樹脂（アクリル樹脂又は紫外線硬化型レジン）を延長爪の厚さまで塗り固めて段差を無くし、延長爪の表面及び合成樹脂を塗り固めた部位の表面に色彩及び／又は模様等からなる装飾を施し、これを付け爪（図３の付け爪４）として使用してもよい。
【００２７】
以上のようにして作製した付け爪は両面テープ又は粘着剤を使用して人の爪に重ねて接着して使用する。
【００２８】
この付け爪は、内面の形状が、付け爪を使用する人の爪の外面の形状と完全に一致しているので、付け爪を使用する人の爪の表面に付け爪が完全に密着し、付け爪を使用する人の爪と付け爪との間に隙間が形成され難く、家事等をしても爪と付け爪との間に水が入らず、従って、爪と付け爪との間にカビ等が繁殖しない。
【００２９】
また、この付け爪は、内面の形状が、付け爪を使用する人の爪の外面の形状と完全に一致しているので、付け爪を使用する人の爪の表面に付け爪が強固に接着し、従って、付け爪が何かにちょっと当たった程度では人の爪から簡単には取れない。
【００３０】
また、この付け爪は、内面の形状が、付け爪を使用する人の爪の外面の形状と完全に一致しているので、粘着剤又は両面テープを用いて爪に強固に接着させることができる。そして、接着手段としてして粘着剤又は両面テープを使用することができので、付け爪を外したいときは爪から付け爪を強制的に剥がすことができる。
【図面の簡単な説明】
【００３１】
【図１】この発明の第一実施例の工程を示す説明図である。
【図２】この発明の第二実施例の工程を示す説明図である。
【図３】この発明に係る付け爪ベースの使用態様を示す説明図である。
【図１】
2010131222.tif 000003
【図２】
2010131222.tif 000004
【図３】
2010131222.tif 000005